(57)【要約】【課題】  既知の衣類を向上させて、電気装置に対する電気的な接続部、エネルギーの蓄積部又は他のユニットの製造を非常に容易にする。【解決手段】  １次回路Ｐに接続したコイル１２と、２次回路Ｓに接続したコイル１４とを具える。コイル１２，１４は、相対移動を行うとともに、磁気的に結合しうるように配置される。１次回路Ｐにおいて、コイル１２に交流電圧が供給されて、コイル１２に磁界が発生し、コイル１４との磁気結合によって２次回路Ｓに電圧が誘導される。１次回路Ｐにおいて、交流電圧の周波数が設定される。【選択図】  図１
2008029200.tif 000002
【特許請求の範囲】
【請求項１】
少なくとも１つの電気ユニットの電気接続のため、少なくとも１つのコネクタを有する電気回路を有する衣類であって：
前記コネクタは、前記電気ユニットの対応する他のコネクタに電気エネルギー及び／又は電気信号を無線で伝送し、及び／又は前記電気ユニットから受信し、前記コネクタは、誘導結合手段を有し、
装着可能な電気装置を収容する容器を設け、
前記誘導結合手段は、前記装置に設けられた第２誘導素子に誘導的に結合するように、前記容器の領域に配置された誘導素子を有し、
前記装置は、前記容器に収容されることを特徴とする衣類。
【請求項２】
前記衣類は、少なくとも１つの電気的なリード線を有し、
前記リード線で、前記コネクタは他の電気装置に接続される、請求項１記載の衣類。
【請求項３】
前記衣類は、固定の接続を有する電気装置、特に電気装置及び／又はエネルギーの蓄積部を有する、請求項１記載の衣類。
【請求項４】
前記誘導素子は、平坦な機械的な可撓性インダクタである、請求項１記載の衣類。
【請求項５】
前記誘導素子は、伝送システムの一部を形成する、請求項１に記載の衣類。
【請求項６】
少なくとも２つの衣類を有する衣類のシステムであって：
電気エネルギーの無線伝送用の少なくとも１つのコネクタを少なくとも１つのポイントで第１の衣類に設け、
電気エネルギーの無線伝送用の少なくとも１つの第２のコネクタを少なくとも１つの第２のポイントで第２の衣類に設け、
前記第１及び第２のポイントは、前記衣類が用いられるときに、電気エネルギーが前記コネクタの間で伝送可能であるような相対位置を前記コネクタが互いに有するように、前記衣類が配置されるように選択され、
各衣類は、少なくとも１つの電気ユニットの電気接続のため、少なくとも１つのコネクタを有する電気回路を有し、
前記コネクタは、前記電気ユニットの対応する他のコネクタに電気エネルギー及び／又は電気信号を無線で伝送し、及び／又は前記電気ユニットから受信することを特徴とするシステム。
【発明の詳細な説明】
【技術分野】
【０００１】
本発明は、電気的なエネルギーを無線伝送するシステム、衣類、衣類のシステム及び信号及び／又は電気的なエネルギーを伝送する方法に関するものである。
【背景技術】
【０００２】
電気的なエネルギー及び電気的な信号を無線伝送するシステムが既知である。例えば、無線信号が長距離に亘って交番電磁界(electromagnetic  alternating  field)として伝送されるのに対して、電気的なエネルギーの伝送、特に誘導的な伝送が通常最大でも1ｍまでの局所的な範囲内でしか使用できないことが知られている。それは、少なくとも２個の磁気的に結合した誘導素子、例えばコイルに基づくものである。１次回路に接続した第１の誘導素子は、交流電圧によって駆動され、その結果、交番磁界が発生する。少なくとも１個の第２の誘導素子、例えば２次側コイルは、このように発生した交番電界の少なくとも一部に配置され、この場合、誘導素子によって包囲された領域の磁束の変化によって、２次側に電圧が誘導される。
【０００３】
磁気結合は、そのようなエネルギー伝送の効率にとって重要である。例えば、１次側誘導素子によって発生した磁界の一部が２次側誘導素子の領域を通過しない場合、結合が不完全となり、漏れ磁界又は漏れインダクタンスの原因となる。
【０００４】
変圧器（変成器）は、電気的なエネルギーの無線伝送用のシステムとして広く使用されている。従来の大抵の変圧器において、誘導素子は、例えばハウジング又は機械的な保持システム上で固定して配置され、相対移動しないようにしている。磁束は、変圧器コアを通過して収束され、その結果、あり得る最少の漂遊磁束しか生じない。しかしながら、電気的なエネルギーを二つのアイテム間で伝送すべき場合には全く相違する状況が生じ、この場合、これらを機械的に固定して結合するのは不都合である。この場合、磁界を制御し及び収束するのは困難であり、その結果、漂遊負荷損が頻繁に生じる。誘導素子の相対配置は度々重要となる。
【０００５】
例えば、米国特許番号第５９４８００６号は、皮膚を介して電気的なエネルギーの伝送を行うシステムを記載している。２次誘導素子は皮膚の下に埋め込まれている。外部の１次誘導素子は、皮膚の外側に配置されるとともに交流電圧によって駆動され、誘導結合の結果、電気的なエネルギーが２次側に送信される。誘導素子の最も正確に配置するとともに高効率の伝送を保証するために、正確な位置を示すディスプレイを設ける。２次側において、誘導された電圧は、整流され、例えば、電池を充電するのに使用される。さらに、変調によって情報を伝送することも提案されている。
【０００６】
電気的なエネルギーの伝送を無線で行う他のシステムが、米国特許番号第４６９２６０４号に記載されている。スマートカードに電気的なエネルギーを供給するために、誘導素子をカードとカードリーダの両方に設け、その結果、誘導素子は、カードをカードリーダに配置すると互いに磁気結合を行う。この文献では、エア−コアインダクタが電力の伝送に不十分であると仮定している。したがって、磁性材料の可撓性を有するコアが提案されている。
【０００７】
米国特許番号第５８８３３７６号も、誘導的なエネルギー及びデータ伝送を無線で行うシステムを記載している。１次側アンテナコイルによって交番磁界を発生させ、これによって、２次側コイルの対応する配置に対して電圧を発生させる。２次コイルは、オブジェクトをマークし及び識別するのに使用すべき可撓性素子に配置される。誘導電圧によって、適応する識別を許可するデータメモリが駆動される。
【０００８】
衣類の分野において、装着可能な電気機器の役割が増大しつつある。この場合、電気ユニットを衣類に統合する傾向にある。これは、移動電話機や、オーディオプレーヤや、データメモリや、拡声器や、ヘッドホンのような電気装置に関連し、ディスプレイや、キーボードや、マイクロホンや、スイッチのような電気装置に対する制御を行う。電気的なエネルギーの蓄積も関連する。したがって、移動電話機及びオーディオプレーヤが統合されたジャケットが提案されており、この場合、これら電気装置は、ポケットや他の容器のような対応するサポート部に収容される。通常、装置は、必要に応じて取り外される。装置は、ジャケットに統合された接続ケーブルによって互いに接続される。装置との接続は、プラグコネクタ及びリード線によって行われる。
【発明の開示】
【発明が解決しようとする課題】
【０００９】
本発明の目的は、既知の衣類を向上させて、電気装置に対する電気的な接続部、エネルギーの蓄積部又は他のユニットの製造を非常に容易にすることである。本発明の他の目的は、従来の無線伝送システムを向上させて、誘導素子が移動する際でも有効な伝送が行えるようにすることである。
【課題を解決するための手段】
【００１０】
上記目的は、請求項１に係る電気的なエネルギーの無線伝送システム、請求項１０に係る衣類、請求項１７に係る衣類のシステム及び請求項１８に係る方法によって達成される。従属項は、本発明の好適な形態を言及する。
【００１１】
電気的なエネルギーの無線伝送を行う本発明のシステムにおいて、磁界を発生する２個の誘導素子、例えば、回路ループ、コイル又は他の素子が想定される。誘導素子は、空間的に互いに固定して配置されない。誘導素子は、例えば、互いに分離した２個のオブジェクトにそれぞれ配置され、ドアやドアフレームのような相互の移動接続部を有するオブジェクトに誘導素子を配置するのも好適である。
【００１２】
ここで、第１誘導素子を１次回路に接続し、第２誘導素子を２次回路に接続する。電気回路の指定は、先ず、第１誘導素子から第２誘導素子への電気的なエネルギーの伝送の機能を果たすためにのみ選択される。後に説明するように、対応する設計を用いて、電力伝送の方向を正反対にすることができ、この場合、第２誘導素子を１次回路に配置するとともに、第１誘導素子を２次回路に配置する。
【００１３】
電気的なエネルギーの伝送に対して、磁気結合が行われるように誘導素子を配置する必要がある。これは、とりわけ、誘導素子間のクリアランスに関連する。理論的には、磁界を無限に伸長することができるが、実際には、エネルギーの伝送が局所的な範囲でのみ適切であると仮定する必要がある。誘導素子のクリアランスが誘導素子の延長の範囲内で最大となる配置が好適であり、延長（例えば長さ）に関してクリアランスを最少とするのが特に好適である。したがって、誘導素子の局所的な範囲が利用される。しかしながら、磁気結合がクリアランスだけでなく相対配置の方向にも依存しないようにする必要がある。ここで、磁気的に結合しているという用語は、結果的に得られる変圧器の漏れインダクタンスが磁化インダクタンスに対してもはや大きくない配置のみを意味する。好適には、磁化インダクタンスに対する漏れの比を、１：１から:１０：１とする。
【００１４】
１次誘導素子を交流電圧で駆動すると、対応する磁気結合が２次誘導素子に生じ、交流電圧が誘導される。本発明によれば、１次側で用いられる交流電圧が調整自在となる。専門家は、所望の周波数及び波形の交流電圧を直流電源などから発生できる複数の回路を理解する。ここで用いられる交流電圧という用語は、正弦波電圧だけでなく、少なくとも近似的な周期で一定でない波形も意味する。本発明は、所定の周波数範囲に限定されるものではない。したがって、５０Ｈｚからの低周波数でもエネルギーの伝送が可能である。しかしながら、損失の観点から、５−１０ｋＨｚのような数ｋＨｚからＭＨｚ範囲の高周波数範囲が好適である。例えば約１ＭＨｚからの範囲において、高コイル品質がエア−コアコイルにおいて達成される。
【００１５】
また、本発明は所定の電圧範囲に限定されるものではない。好適には、衣類の分野の用途に対して、約４０Ｖのｒ．ｍ．ｓ．電圧を超えないようにする。例えば、伝送比(transmission  ratio)を１：１とするが、特定の用途において、要求される電源電圧に応じて、２次側において他の比を見つけることができる。
【００１６】
本発明の他の例によれば、少なくとも１次回路を共振回路として設計する。このために、誘導素子の他に、少なくとも１個のキャパシタが考えられ、これによって共振構造が形成される。対応する共振周波数の領域におけるそのような共振構造によって、誘導素子の所望の電圧上昇が生じ、その結果、更に多くのエネルギーが誘導結合を通じて伝送される。電源電圧周波数を調整可能とすることによって、この共振構造を構成する際に特定の使用が可能となる。そのような技術はマルチ−共振コンバータ(multi-resonant  converter)として既知である（ここで、用語「マルチ」とは、２個より多い応答素子(reactive  element)が存在すること、したがって、複数の固有の周波数が存在することを意味する。）。存在する応答素子は、キャパシタ及び２個の誘導素子のインダクタンスである。これらは、例えば、（一つの磁化及び少なくとも一つの漏れインダクタンスを含む）種々のインダクタンスとして従来の等価回路の一つにおいて表すことができる。したがって、ここでは、共振構造を形成するために、所定の量の漏れインダクタンスが用いられる。
【００１７】
ここで、長さに応じて互いに相違する漏れインダクタンスを有する互いに機械的に固定されていない誘導素子の基本的な考察を行う。磁化及び漏れインダクタンスのそれぞれの値は、共振周波数を決定する際に決定される。したがって、磁気結合の各目安が変動する際に制御を行うのが好ましく、したがって、磁化及び漏れインダクタンスの結果的に得られる値は、２次側電圧を所望の量に制御する。ここで処理される変数は、１次側励起周波数である。
【００１８】
そのような制御は、磁気結合の目安が時間に亘って一定でない場合に特に好適である。これは、本発明によるシステムが衣類の分野で用いられる際に特に予測され、この場合、装着者の移動によって、誘導素子が相対移動する。この結果、共振周波数も変化する。これは、２次側の誘導電圧を測定する対応する制御によって考慮され、第１誘導素子の励起周波数を変化することによって、共鳴の増大に対して特別に利用される。したがって、誘導素子の相対位置の変化が生じたとしても、エネルギー伝送の所望の効率を維持することができる。
【００１９】
この制御は、磁気結合の各目安を直接的又は間接的に決定し及び補正することができる。１次側送信を用いることができ、この場合、制御に必要な変数が専ら１次側から決定されることを意味する。２次側の状態が既知である場合、結合を通じた対応する磁気的リターン(magnetic  return)が、１次側入力ゲートの動作に基づいて可能となる。
【００２０】
しかしながら、好適には、２次側において、電圧に対するセットポイントを指定し、システム変位を決定し、これらを一次側制御部又は補正ユニットに転送する。このために、磁気結合、２次側電圧又はシステム変位の情報を伝送するために、後に説明するような種々の転送手段を用いることができる。
【００２１】
他の例によれば、２次回路に誘導される電圧を整流する。これを、専門家に既知の任意の整流装置、特にダイオード整流器を用いて行うことができる。しかしながら、ダイオード整流器を用いた場合、ダイオードの順電圧によって生じる損失を考慮する必要があり、それは、数ボルトの領域における低誘導電圧に悪影響を及ぼすおそれがある。したがって、いわゆる同期整流器すなわちクロックスイッチが好適であり、それは、電流を零に整流することによって交流電圧を整流し、その結果、順電圧に対する損失が最少となる。
【００２２】
制御システムによって制御される半導体スイッチは、同期整流器に好適である。しかしながら、そのような回路は、１次回路において直流電源から誘導交流電圧を発生するのにも適切であり、これによって１次側誘導素子が駆動される。したがって、本発明の他の例によれば、第１及び第２誘導素子に対して、そのように制御された回路配置を提供する。そのような配置によって、電気的なエネルギーを第１誘導素子から第２誘導素子に又はその逆に伝送することができる。好適には、完全に対称な回路を設計し、その結果、両方向における伝送中、同一状態が適用される。伝送方向に応じて、第１又は第２誘導素子が１次回路として動作し、この場合、それに関連したクロックスイッチは、直流電源から交流電圧を発生する。他方の誘導素子は２次回路の一部となり、この場合、制御されるスイッチ配置は、同期整流器として動作する。
【００２３】
他の例として、情報の無線伝送手段を提供する。送信すべき情報は種々の信号を含む。特に、（システム変位のような）情報を伝送する伝送手段を、制御に用いることができる。１次及び２次素子のみが低速で移動すると仮定できる場合、磁気結合も低速に変化し、その結果、送信すべき情報は狭帯域となる。
【００２４】
送信手段は、例えば、伝送された交流電流を情報担体として使用する変調及び復調手段を有する。無線送信機及び受信機を使用することもできる。しかしながら、予測される誤りのために、電源に依存しない伝送経路が好適である。
【００２５】
これは、第１及び第２誘導素子に直交する他の誘導素子を通じた誘導的な伝送も有する。ここで、用語「直交」とは、他の誘導素子間で伝送された信号が電力伝送によってほとんど悪影響が及ぼされないことを意味する。そのような独立性は、例えば、他の誘導素子が第１及び第２誘導素子から十分に離間し又は遮蔽されることによって達成される。それに対して、他の誘導素子が第１及び第２誘導素子の付近に配置され又はそれに直接重ね合わされたとしても、これらが十分な誘導性結合を有しない幾何学的な配置を選択することもでき、この場合、第１及び第２素子を通過する交番磁界の重要な磁界成分が他の誘導素子を通過しない。そのようなあり得る可能性の一つは、第１及び第２誘導素子の磁界成分が各領域で互いに相殺される他の誘導素子を配置することである。
【００２６】
容量性結合を通じた情報の伝送も提案される。このために、互いに密接となって十分な容量性クロストークが生じる十分大きい領域が必要となる。しかしながら、交番磁界の領域にそのような領域を配置すると、渦電流の損失が、特に高周波数で生じる。したがって、渦電流の損失が最少となる表面を形成することを提案する。互いに電気的に離間した長手領域からなる表面を構成するのが好適な解決であり、この場合、少なくとも一端の領域を互いに電気的に接続し、その結果、例えば、フィンガ構造が提案される。そのような構造が例えばキャリア表面上のプリント導体として適用される場合、十分な封止表面の機能が得られ、渦電流の損失が最少となる。
【００２７】
本発明による衣類の設計は、衣類の分野ではケーブル又はプラグコネクタを通じた衣類の接続に不都合を有するという要求及び使用状態に対する認識に基づく。各装置を衣類の電気的なシステムに接続しなければならない場合は、非実用的である。また、プラグコネクタ及びケーブル端は、所定の量の衣類を必要とする。特に、種々の衣類が、結合する必要がある電気回路をそれぞれ有する場合、プラグコネクタシステムは全く非実用的である。
【００２８】
したがって、本発明による衣類は、電気ユニットの無線接続に対する接続装置を有する。ここで、用語「衣類」は、身体に直接的又は間接的に装着されている装備の任意の形態を意味し、特に、上着、ヘッドウェア、靴、ベルト、眼鏡、ジャケット、ズボン等を意味する。衣類を、プラスチック、革、織物、ゴム及び金属を含む大抵の材料から形成することができる。
【００２９】
本発明によれば、そのような衣類は、１個以上の電気ユニットに対する接続装置を有する。この接続装置（接続手段）の電気ユニットは、上記電気装置及び電気的なエネルギー蓄積部だけでなく、他の電気回路も意味する。
【００３０】
ここで、衣類自体は電気回路を有し、その電気回路は、最も簡単な場合では単なるケーブル接続部を有する。また、衣類は、フィルムタイプで固定される統合されたエネルギー蓄積部又は制御部のような回路に接続される予め固定して統合された電気ユニットを有する。
【００３１】
本発明による接続装置は、衣類の回路に接続される。その目的は、一部として対応する接続装置を設けた電気ユニットを結合することである。ここで、結合は無線で行われ、この場合、電気的なエネルギー及び／又は電気的な信号を伝送する。これは、例えばコネクタにプラグをさし込むことによって接続の手動生成を行う必要がもはやないという利点を有する。装着に必要な他の露出した機械的な接続は存在しない。
【００３２】
他の例によれば、対応する装置インタフェースに誘導的に結合するような接続装置を設計する。これに対して、電流が流れる場合には、少なくとも、磁界を発生する第１誘導素子、例えば、コイル、ワイヤループ又は他の形態のインダクタを有する。
【００３３】
電気装置を収容する容器を設けるのも好適であり、この場合、装置が機械的に固定される。誘導的なエネルギーの伝送が局所的な範囲でのみ十分であるので、そのような機械的な固定装置を周辺の誘導素子と組み合わせるのが好適である。ここで、第１誘導素子によって発生した磁界の範囲内に、容器に固定された電気装置又は第２誘導素子が配置されるように、誘導素子を配置し、その結果、２個の誘導素子が誘導的に結合される。容器を例えばポケット又はストラップとする場合、ユーザは、容易に電気装置をポケット又はストラップに挿入することができる。電気装置が、第２誘導素子を有する対応する誘導装置コネクタを有する場合、誘導素子の設計又はこれらの対応する整列によって、十分な磁気結合が存在する。
【００３４】
他の電気ユニットを、電気装置及び／又はエネルギー蓄積部並びに対応する結合素子に誘導的に結合する他のコネクタを有する衣類に接続する。衣類の内側において、これらの素子を、好適には電気的なリード線に接続する。これらリード線を、例えば、衣類の布地に編み込むことができ、その結果、リード線は衣類の一部を形成する。同様に、リード線は、衣類の内側又は布地の二つの相の間を通過することができる。このようにして、電気的な機能素子の間の接続部は、使用の際に妨害を行わず、かつ、機械的なストレスも課さない。
【００３５】
好適には、誘導素子は機械的な可撓性を有する。靴のかかとや眼鏡のつるのような硬い材料の衣類に対して、これは必要ない。しかしながら、ジャケットのような布地の衣類の場合、機械的な可撓性インダクタを用いるのが特に有利であり、この場合、インダクタは、布地のように機能し、例えばジャケットの装着特性に重大な影響を及ぼさない。ここで、導電金属層を有する肉薄のポリアミド層のラミネートのような平坦な設計が好適である。このために、１０−５０μｍ、好適には３５μｍ周辺の厚さの銅層が適切である。ここで、閉リング（コイル）及び開構造を含む大抵の誘導構造を形成することができる。例えば、軸線界磁巻線又は軸線半径界磁巻線の形態の閉コイルを、ジャケットのポケット又は裾周辺の領域で使用することができる。必ずしもリングを形成せず、これによって生じた磁界が収束される開構造は、例えば半径界磁巻線を有する。対応する構造は、設計例によって表される。
【００３６】
本発明による衣類を、二つの衣類の間でエネルギーを無線によって伝送すべきシステムの一部とすることができる。ここで、コネクタは、好適には、二つの衣類が同時に装着されたときに伝送が行われるように特定の方法で配置された誘導素子を有する。これは、伝送の効率がコネクタの相対位置、特にクリアランスに依存しない場合に有利である。これは、誘導的なエネルギー伝送の場合である。本発明によれば、衣類が人体の特定の位置に装着された場合に利用することができる。したがって、シャツとズボンや、ジャンパの上のジャケットのような二つの衣類の相対位置は、広い範囲で固定される。したがって、配置されるコネクタによってエネルギーの伝送が行えるように衣類の装着位置が相対的に設定される衣類の位置を選択することができる。例えば、ジャケットからその下に着せられたジャンパに誘導的なエネルギーの伝送を行うに際し、同軸上にある二つの衣類の腕を用いることができる。腕の中間又はほぼ全長に亘る設定位置に配置されたコイルの巻線は、十分に高い目安の磁気結合を有する。シャツとズボンとの間、襟と眼鏡との間、ズボンと靴の間等の他の複数の転送位置も利用できる。
【発明を実施するための最良の形態】
【００３７】
図１は、電気的なエネルギーを誘導的に伝送する伝送システム１０を示す。１次誘導素子１２を有する１次回路Ｐを、誘導素子１４を有する２次回路Ｓに接続する。図形的に示した誘導素子１２，１４は変圧器（変成器）１５を構成する。これらを互いに近接して配置するとともに互いに整列して、これらが磁気結合を有するようにし、すなわち、１次誘導素子１２から発生した磁界１６は、２次誘導素子１４の漏れ成分(leakage  field)１８まで包囲される。図形的にのみ参照した誘導素子及びその磁界に対応する物理的な表示を、図７−１１に関連して説明する。好適には、伝送比(transmission  ratio)を１：１とする。
【００３８】
図２ａは、図１に示す伝送システムの回路図である。ここでは、変圧器１５を、１次端子２１及び２次端子２３を有する４極とともに示す。図２ｂは、あり得る等価回路の一つとして、変圧器のＴ等価回路を示す。等価回路の選択は、任意であり、重要ではない。クランプ動作に関してのみ物理的な配置に対して等価である任意の等価回路が適切である。ここでは、（両方の誘電素子を通過する磁界１６の一部から発生する）磁化インダクタンスＭによって表される。磁界の漏れ成分１８は、１次漏れインダクタンスＬ１及び２次漏れインダクタンスＬ２として表される。これらインダクタンスＬ１，Ｌ２は、可変素子として表される。その理由は、素子１２，１４の相対位置に変化が生じると相対位置が変化するからである。
【００３９】
１次回路Ｐの端子２８に直流電圧が供給される。チョッパユニット３２は回路３０ａ，３０ｂを有し、この場合、入力直流電圧が端子２８間で交流電圧に変換される。チョッパユニット３２を、各ケースの要求に適するように専門家に既知の複数の方法によって設計することができる。ここでは、（図示しない）コントローラによって制御される電界効果トランジスタ（ＭＯＳＦＥＴ）が使用される。交流電圧を発生するために、これらは、コントローラによって特定される周波数とともに周期的に反転する。
【００４０】
チョッパユニット３２を通じて発生した交流電圧は、キャパシタ３４及びインダクタンスＬ１，Ｍ及びＬ２によって１次回路に形成した直列共振回路を駆動する。共振回路を通じて、矩形励起(rectangular  excitation)に対して、部分的な正弦波が生じる。共振周波数の領域における直列共振回路によって、電圧の著しい増大がインダクタンスで生じる。このような電圧の増大は、結合インダクタンス１１を通じた１次回路から２次回路へのエネルギーの伝送を明確に制御するために用いられる。
【００４１】
この回路は、システムが基本的には共振周波数より上の周波数範囲で作動するように設定される。これを、１次側端末２１のゲートの動作を観察することによって１次側からチェックすることができる。これが誘導的に動作する場合、臨界的な励起より上すなわち共振周波数より上の範囲となる。容量的な動作を行う場合、共振周波数より下の範囲となる。
【００４２】
動作が基本的に共振周波数より上で行われる場合、制御は、１次周波数を下げることによって、容易に２次側電圧の降下に応答することができる。このようにして、共振周波数を概算することができ、その結果、更に顕著な電圧の上昇が生じ、２次電圧が増大する。それに対して、共振周波数から著しく離間するよう１次側周波数を増大することによって、２次電圧が低減される。
【００４３】
インダクタンスＭの結合を行うことによって、交流電圧が２次回路Ｓに誘導される。２次回路Ｓはキャパシタ３６も有する。このキャパシタ及びインダクタンスの電圧が同期整流器３８に供給される。同期整流器３８は、交流電圧を整流するスイッチ４２ａ，４２ｂを有する。このような整流は、スイッチ４２ａ，４２ｂを交互に閉じることによって生じ、零電流までの整流が行われる。ダイオード整流とは異なり、同期整流は順電圧なしで生じる。同期整流器３８の端子４０の出力電圧は、高い脈動によって直流電圧となる。その結果、端子２８から端子４０までの全体に亘る電気的なエネルギーは、２個の誘導素子１２，１４間の誘導結合を通じて直流電圧の形態で伝送される。必要な場合には、端子４０の出力電圧を円滑化することもできる。
【００４４】
同期整流器３８は、チョッパユニット３２と同様に、制御されたスイッチを有する。同期整流器３８に対しても、素子３８が同期整流器として動作するようにスイッチ４２ａ，４２ｂを操作する図示しない制御部を設ける。したがって、全体に亘る配置は対称設計を有し、それは、１次側と２次側の各々が直列共振回路に接続した制御されたスイッチを有することを意味する。したがって、この配置及び対応する制御部の設計によって、電気的なエネルギーを、端子２８から端子４０に及びその逆方向に伝送することができる。エネルギーが逆方向に伝送される場合、制御部は、スイッチ４２ａ，４２ｂがチョッパとして作動するようにユニット３８を操作し、同時に、ユニット３２の制御部は、スイッチ３２ａ，３２ｂを制御して、同期整流器の作動方法が所定の結果となるようにする。ここで、誘導素子１２，１４及びキャパシタ３４，３６の設計及び寸法決めを同様に行うのが有利であるが、それは必須でない。
【００４５】
図２に示すシステムの素子の部品の値並びに作動電圧及び周波数に対する実際の数値は、各々の使用に依存し、互いに著しく相違するおそれがある。
【００４６】
図３は、電気回路４６を統合した衣類４４を示す。電子回路４６は、衣類に固定して統合されたコネクタ４８，５０を有する。回路４６に属する衣類リード線５２は、コネクタ４８，５０を電源モジュール５４に接続する。電源モジュール５４、この場合、襟に取り付けられた移動電話機は、リード線を通じて、衣類４４に固定して接続した電気装置５６に接続される。
【００４７】
コネクタ４８は、収容部、この場合、ポケット６０で巻回するコイル巻線５８を具える。コネクタは、図４において図形的に示したポケット６０に収容される持ち運び可能な電気装置６２に対して回路４６を誘導的に結合するのに用いられる。装置６２を、電気的なエネルギーによって操作されるオーディオプレーヤ、ポケット計算機、移動電話機、データ記憶装置、ナビゲーション装置、投薬ユニット又は他の携帯装置とすることができる。電気装置は、ハウジングの回りで巻かれるとともに誘導性結合に用いられるコイル６４を有する。
【００４８】
図５に示すように、装置６２は、電気装置６２の実際の機能ユニットである機能ユニットＤを有する。装置６２は、電源６６、例えば電池又は蓄電池も有し、ここではそれを電源として示す。これらユニット及びコイル６４を電源モジュール５４に接続する。
【００４９】
図４及び５の装置をジャケットのポケット６０の中で正確に、この場合、まっすぐに配置すると、伝送システムは、コイル４８，６４の磁気結合から、図１及び２に関連して既に説明したものとなる。この場合、回路４６は、装置６２と誘導結合される。他の電気素子、すなわち、スイッチユニット３２又は３８、キャパシタ３４又は３６及び必要な制御部は、電源モジュール５４の中に含まれる。
【００５０】
ここで、ポケット６０は、特定の着用に適した装置６２の正確な位置すなわちまっすぐのみが可能となるように寸法が設定される。
【００５１】
したがって、全体に亘る分布システムは衣類４４内に配置され、その中で、ジャケットに固定して統合された装置５６は、ポケット６０に収容されたデバイス６２に結合される。この場合、装置６２の電源６６から装置５６に及びその逆へのエネルギーの伝送が可能となる。装置６２から装置５６への電気的なエネルギーの伝送中、電源モジュール５４及び電源６６は、直流電圧の形態で電気的なエネルギーを取り出す。チョッピングによって、交流電圧が発生し、これによってコイル６４が作動する。２次誘導素子として作動するとともにコイル６４と磁気的に結合したコイル５８において、交流電圧が誘導される。これは、衣類４４の電源モジュール５４で整流され、装置５６に伝送される。したがって、装置５６に対して、装置６２の電源６６から給電を行うことができる。
【００５２】
衣類４４は、コイルとして設計された他のコネクタ５０も有し、この場合、コイルは、コイル巻線が腕に巻きつくようにジャケット４４の腕の特定の位置に配置される。コネクタ５０は、他の衣類に結合するのに使用される。二つの衣類４４，６８の結果的に得られるシステムを図６に示す。
【００５３】
図３のジャケット４４は、ここでは図示しない人物の身体上のシャツ６８を覆う。いずれの衣類も、図示しない電気回路を有する。コイル５０，７０の各々を衣類の腕の同一位置に取り付け、各コイルが電気回路に接続される。二つの衣類を通常の方法で人物の身体に配置すると、図６の配置となり、この場合、コイル５０，７０が内側で互いに同軸上に配置され、その結果、これらコイルは、高い目安の磁気結合を有する。好適には、コイルの巻数の比を１：１とする。ここで、二つの衣類、この場合にはシャツ及びジャケットが適切に着こなされているときの腕の各点の位置が比較的正確に知られていると有利である。このことは、ズボン／ベルトのような他の衣類の複数の対にも当てはまる。
【００５４】
図６の二つの衣類４４，６８は衣類のシステムを形成し、この場合、電気的なエネルギーは、一方の衣類から他方の衣類に対して誘導的に伝送される。衣服領域におけるそのような伝送システムでは、予め十分に決定できない配置のために、所定量の漏れインダクタンスが常に生じ、その結果、共振を利用する図１及び２に示すような伝送システムを構成するのが特に有利である。
【００５５】
図６の二つの衣類４４，６８との間の伝送及び図３の装置６２と衣類４４との間の電気的なエネルギーの伝送に対して、所定の変動が課される。変動は、衣類の装着者の移動の結果であり、これによって、衣類が互いにすべり合い又は装置６２がポケット６０の内側で僅かにすべるからである。このことは、図２ｂに示す漏れインダクタンスＬ１，Ｌ２及び主インダクタンスＭの値に影響を及ぼす。したがって、図示しない制御部によって、時間上で変化する磁気結合の目安に対してエネルギー伝送を適合させる。規則的又は不規則的な間隔で、２次側の電圧が測定され及びセットポイントと比較される。任意の変位がある場合、励起周波数は、共振周波数すなわち主インダクタンス２０，２２で電圧の増加が最大になる周波数に近くなるように変動する。スイッチ３０ａ，３０ｂ，４２ａ，４２ｂを有するスイッチユニット３２，３８は、２次電圧が所望の値に調整されるように操作される。ここで、例えば２００ミリ秒から１０秒の間隔の適合を、好適な約１秒ごとの適合とともに行うことができる。２次側で決定されるシステム変位は、ここでは図示しないが１次回路の制御ユニットに対して後に詳細に説明する手段によって伝送され、その結果、この制御ユニットは、それに応じて周波数に適合し、したがって、電圧を調整する。
【００５６】
図７は、伝送システム７２の素子を斜視的に示す。第１変圧器７４を、内側コイル７８を収容した外側コイル７６の形態とする。外側コイル７６を電源モジュール５４ａに接続する。内側コイル７８を、電源モジュール５４ｂ，５４ｃ及び他の変圧器８２の内側コイル８０に電気的に接続する。第２変圧器８２は、電源モジュール５４ｄに接続した外側コイル８４を有する。コイル７６，７８，８０，８４を軸線方向界磁巻線(axial-field  winding)とし、その形態を図８にも示す。変圧器（変成器）７７，８２を、互いに固定した接続を有さずに互いに自由に相対移動するコイル７６，７８；８０，８４の形態とする。ここで、コイルを、図示しないジャケットやシャツの裾のような互いに分離したアイテムに貼り付けることができる（図６参照）。
【００５７】
コイルを、機械的な可撓性を有する素子で構成し、この場合、肉薄の銅層を、可撓性を有するプラスチックストリップに設ける。厚さ３５μｍの銅トラックが含まれる。素子全体に亘る可撓性が非常に高いので、対応する衣類の装着者が任意の緩衝に気付くことなく容易に素子を布地に結合することができる。
【００５８】
交流電圧の形態の電気的なエネルギーは、電源モジュール間で伝送される。このコイルを、パワーバスのタイプと称する。電力供給ユニット５４ａ−５４ｄは、図２の回路Ｐ及びＳと同様に構成され、これは、電力供給ユニットが交流電圧の形態で電気的なエネルギーを取り出すとともにこのエネルギーを直流電圧に変換し、かつ、接続された（図示しない）装置が駆動されることを意味する。同様に、電力供給モジュール５４ａ−５４ｄは、１次回路Ｐとしても作動し、この場合、電力供給モジュールは、（ここでは図示しない）電池や蓄電池のような接続されたエネルギー源から電気的なエネルギーを直流電圧として取り出し、直流電圧を交流電圧に変換し、交流電圧がパワーバスを通じて伝送される。ここで、電力供給モジュール５４ａ−５４ｄは、対応するスイッチ３０ａ，３０ｂ，４２ａ，４２ｂを制御する制御ユニットを有する。既に説明したように交流電圧が発生すると、２次側電圧をセットポイント周辺に調整するような周波数が使用される。
【００５９】
モジュール５４ｃによって特定の役割が果たされる。これは、２個の個別の回路Ｐ又はＳを具え、その各々は互いに相違する変圧器７４，８４に接続される。システムは、例えば、（電池のような）モジュール５４ｂに結合した電源及びモジュール５４ａ，５４ｄに結合した（オーディオプレーヤや携帯電話のような）機器(consumer)とともに操作される。この場合、エネルギーは、変圧器７４を通じてモジュール５４ｂからモジュール５４ａ，５４ｃに伝送される。モジュール５４ａは、２次側電圧を整流し、機器に電力を供給する。モジュール５４ｃは、対応する交流電圧を他の周波数の交流電圧に変換し、これによって変圧器８２が作動され、したがって、エネルギーがモジュール５４ｄに伝送される。
【００６０】
図９は、他の巻線形態として、２個の界磁巻線を有する軸線−半径−極巻線(axial-radial-pole)巻線を示す。磁界がコイルの中心において軸線方向に発生する図８の軸線界磁巻線とは異なり、図９のコイル形態の範囲内では、コア中心において、半径方向の外側に磁界が形成される。軸線方向界磁巻線を有する２個のコイルにも、これらを軸線方向に相対配置することによって機械的な結合が生じる。しかしながら、軸線−半径巻線は、軸線方向の変位に対して非常に高い感度を有する。軸線方向の変位が予測される２個の素子の誘導結合によって、図８の巻線配置が好適に用いられる。
【００６１】
図８及び９による閉構造の代案として、図１０及び１１において、誘導素子の開構造を示す。これを、４極を有する多極半径界磁巻線とする。両側チョッパクラッド可撓性プリント回路基板をここで示し、この場合、破線はスルーコンタクトポイントを表す。整合構造を有するそのような２個の誘導素子を、誘導結合を行うように配置して、極巻線が互いに対向するようにする。両素子の位置的な誤差に関して、軸線方向（伸長した場合には垂直方向）の変位が極巻線の高さ未満となるとともに捩れ（伸長した場合には水平方向の変位）が極巻線幅より小さくなるように、極巻線を設計する必要がある。図１０及び１１による軸線方向界磁巻線は、実際には閉構造を有し、これは、リングが図１０に示すように形成されていることを意味する。しかしながら、結果的に得られる閉リングなしで互いに対向する細長形状で配置することもできない。したがって、布地領域の対応する誘導素子を、例えばシャツのカラー又はベルト上で閉リングが保証できない位置では常にとりわけ使用することができる。
【００６２】
図１２は、四つの衣類９１，９２，９３，９４の分布システムの線形表示を示し、この場合、各衣類の領域は一点鎖線によって分離される。衣類９１，９２，９３，９４の各々は、電気装置Ｄ１，Ｄ２，Ｄ３，Ｄ４を有する。衣類９１及び９２において、電気エネルギー源Ｓも存在する。電気装置を任意の電気装置とすることができる。対応する例を既に説明した。
【００６３】
システムの電源Ｓを、装置、例えば、装置ハウジングに設けた電池又は蓄電池に接続したエネルギー源とすることができる。同様に、衣類内において、衣類との固定接続を有するここに示さない個別のエネルギー源を設けることができる。これは、蓄電池や高容量のキャパシタのような充電可能なエネルギー源に対して特に有用である。衣類に応じて、そのような素子は互いに相違する形態を有する。平坦な衣類の布地に対して、最大限の機械的な可撓性の観点から、フィルムタイプの蓄電池のような素子が適切であり、靴のかかとにおいて、通常の形状の蓄電池を用いることができる。
【００６４】
図１２のシステムは、衣類９１，９２，９３，９４の間の所定の区域に変圧器Ｔを有する。これら変圧器は、既に説明したように、互いに結合した誘導素子の対を有する。変圧器Ｔはそれぞれ、制御ユニットＣによって制御される電源モジュール５４によって１次側及び２次側で作動する。
【００６５】
図１２の表示において、太い矢印は電気エネルギーの伝送を示し、細い矢印は、情報用の電気信号の流れを示す。情報信号の伝送は、変圧器Ｔを通じた無線によって行われる。図１３及び１４に関連して、ここで用いられる装置及び方法は、後の説明でカバーされる。
【００６６】
情報は、電源モジュール５４をそれぞれ制御する制御ユニットＣの間で伝送される。その制御ユニットは、マイクロプロセッサコントローラとして設計される。制御ユニットＣは、既に説明したようにして制御を実行する。ここで、２次側で考察中の対のユニットＣは、２次側電圧を測定するとともにシステムの変位を決定する。これを、好適にはデジタル形態で情報を変圧器Ｔを通じて１次側制御ユニットＣに伝送する。
【００６７】
１次側制御ユニットは、実調整を行い、すなわち、既に説明したようにして調整された変数（１次周波数）に適合して、制御された変数（２次側電圧）がセットポイントに到達するようにする。この場合、専門家に十分知られている種々のタイプのコントローラ（Ｐ，ＰＩ，ＰＩＤ等）を構成することができる。
【００６８】
さらに、相互の通信リンクを有するマイクロプロセッサ制御ユニットＣを、接続セットアップ中の電気的なエネルギーの分布を制御するのに使用することもできる。このために、制御ユニットは、全体に亘るエネルギー分布概念をシステム全体で達成するプログラムを実行する。これは種々の形態をとることができる。この形態において、オーバライディング概念の意向によって、ユニットプレゼントＤ１，Ｄ２，Ｄ３，Ｄ４に十分な電気的エネルギーが供給され、その機能が保証される。また、各エネルギー源Ｓに、電源の各プライオリティを表す衣類９１及び９２の識別子を設け、最初に、高プライオリティを有する電源から電気的なエネルギーが取り出され、低プライオリティを有する電源は、他の電源が故障した場合のみエネルギーを発生する。例えば、高価で充電不可能な電池を、緊急用の予備として使用することができ、通常の動作では、電気的なエネルギーは、システム内で利用できる（高プライオリティを有する）他の充電可能な電源から取り出される。制御ユニットＣは、適切に規定したプロトコルを通じて、対応する情報の交換を行い、その結果、システムは、仕様に従って構成される。したがって、図１２に示すケースにおいて、衣類９３，９４の装置Ｄ３及びＤ４には、衣類９１，９２の電源Ｓから対応する変圧器Ｔを通じて共同で供給が行われる。ここで、電源Ｓから供給される直流電圧は、電源モジュール５４において、変圧器Ｔを通じて衣類９３，９４に伝送される交流電圧に変換される。互いに関連して固定されない衣服間の電気的エネルギーの伝送の特別な状況が考慮されるここで使用される装置及び方法は、既に説明した。
【００６９】
装置Ｄ１，Ｄ２，Ｄ３，Ｄ４は、電源電圧に適合する他の装置、例えば、同相レギュレータ又はＤＣ／ＤＣコンバータを有する。
【００７０】
図１２は、衣類９１の充電可能な電源Ｓに外部の充電器から充電を行う方法も示す。例えば従来の設計を有する充電池とする充電可能な電源Ｓも、当然、従来の充電器を用いて充電することができ、この場合、充電器９６を、プラグ接続を通じて電源に接続する。しかしながら、充電器が衣類の固定位置で守られる場合、したがって、例えば、従来の設計の蓄電池が靴のかかとに収容され、又は可撓性を有する平坦な蓄電池がジャケットの裏地に含まれる場合、充電器の無線接続も可能である。このために、誘導性電力伝送用の上記システムを使用することができ、この場合、誘導結合の形成によって衣類の１個、一部又は全ての電源が充電され、エネルギーが充電器から電源に伝送される。これは、電源を衣類から取り除くことなく行われる。電源は、例えば、ジャケットを吊るすことによって、コートハンガー形状のインダクタを通じて充電され、ジャケットは、例えば、肩部の対応する２次誘導素子を有し、コートハンガーインダクタは電気的なエネルギーをその素子に伝送する。この際、ジャケットに存在する電源と、あり得る外部電源、例えば、ポケット６０に収容された電気装置６２が充電され、制御ユニットＣは、必要に応じて、電気的なエネルギーを、充電すべき全ての電源に分配する。記憶装置又は衣類のホルダとして使用することもできるこのようなインダクタの特別な形態によって、電源を充電するそのような方法の特別のユーザフレンドリな使用を可能にする。インダクタに対して他の設計も想定することができ、例えば、靴のかかとの電源を充電するために靴に装着した２次誘導素子とともに変圧器を形成する靴型を想定することができる。
【００７１】
図１２による制御ユニットＣ間の通信によって構成した分配システムにおいて、他の電源を充電するために、高プライオリティを有する電源からエネルギーを取り出すこともできる。
【００７２】
寄生電力アクセプタンスを有する方法を用いた電源の充電も想定することができ、例えば、ユーザの移動の結果として衣類が経験する機械的な移動又はユーザの身体の熱は、エネルギーを取得するのに用いられる。これとは別に、エネルギー供給のために太陽電池を用いることもできる。
【００７３】
何度も説明したように、変圧器は、エネルギー供給用の電気的なエネルギーだけでなく、情報の転送用の電気的な信号も伝送することができる。これを、制御ユニットＣによって送受信した情報とすることができ、図１２から分配システムを構成するのに使用される。しかしながら、情報を、システムの装置間で交換することもでき、例えば、移動電話機からオーガナイザ(organizer)にデータを伝送し、又は、オーディオプレーヤの音声信号を、ジャケットの襟に統合されたハンドセットに伝送する。特に、既に説明したように、情報転送手段を通じて、各１次誘導素子に対する励起周波数の調整を行うのが有用である。したがって、２次回路は、各誘導電圧に対する測定値又は１次回路のセットポイントからのシステム変位を転送し、その結果、１次励起周波数をそれに応じて調整することができる。
【００７４】
また、情報の伝送を無線方式で行うこともでき、これは、エネルギー伝送も行われる同一ポイントに対して好適である。ここで、互いに相違する装置及び方法を使用することができる。先ず、変圧器Ｔを通じて伝送される電源電圧の対応する変調が可能である。ここで、１次側において、対応する変調器が想定され、２次側において、復調器が想定される。しかしながら、特に調整された伝送周波数において磁気結合が変動しうるので、非常に強力な干渉が予測され、その結果、この解決は、非常に少ない適切なケースにおいてのみ使用される。信号伝送を無線によって行うこともできる。しかしながら、あり得る干渉及び切替変位のために、これも特殊なケースである。
【００７５】
したがって、情報の伝送は、他の誘導結合又は容量結合を通じて提案される。他の誘導結合において、特に情報の伝送を意図した１次側及び２次側の他の誘導素子を設ける。これらは、情報の伝送がエネルギーの伝送に依存しなくするとともにあり得る誤りが最少となるように設計され又は配置される。
【００７６】
これを、誘導素子の特別な設計によって行うことができる。例えば、図８の軸線方向界磁巻線をエネルギー伝送に用いるとともに、図９の軸線方向半径界磁巻線を情報伝送に用いる場合、これら巻線から発生した各磁界がほとんど依存しないので、これら二つの伝送はほとんど互いに影響を及ぼさない。直交インダクタ配置の他の組合せは専門家に既知である。
【００７７】
他の例を図１３に示す。これは、図１１に示す４極半径界磁巻線であり、この場合、装着者の一方の側に半径界磁巻線９８を取り付けるとともに、他方の側に半径界磁巻線１００を取り付ける。スルーコンタクト１０２は、半径界磁巻線９８，１００を接続する。データの伝送のために、装着者１０４に形成されたのと同様な巻線が用いられ、その巻線は、それ自体の端子１０６を有し、巻線９８，１００から十分に電気的に絶縁するが、空間的に重畳されている。ここで、巻線１０４は、４極巻線１００のうちの２個を有し、この場合、含まれる表面の範囲内で、互いに逆方向に巻かれた閉極巻線の寄与は、ほとんど互いに補償する。したがって、巻線９８，１００を流れる電流によって発生した磁界は、他の巻線１０４によって包囲された領域内で全く又はほとんど生じない。したがって、巻線１０４を、誘導的なエネルギー伝送によってほとんど悪影響が及ぼされない電気的な信号の伝送に対して使用することができる。当然、そのような直交性は、図１３に示す配置に制限されるものではなく、種々の構造に対して構成することもでき、この場合、例えば、電力用変圧器の極中心と信号伝送変圧器の極中心との間の互いに相違する距離を選択することができる。
【００７８】
電気信号の伝送に対して提案した他の可能性は、容量結合である。これは、例えば、１次側と２次側の両方に設けたエネルギー伝送用の巻線の上及び／又は下のメタライゼーションストリップを具える。したがって、これら２個のメタライゼーションストリップは、高容量クロストークを有する長く平行なプリント導体を形成する。そのような配置は、通常のレイアウトでは不所望であるが、ここでは、容量クロストークの影響をデータ伝送に対して有効に用いられる。
【００７９】
容量結合を、原理的には任意の形状の表面を通じて形成することができるが、各ケースにおいて、少なくとも１表面を１次側及び２次側に設け、１０ｃｍまでとし、好適には３ｃｍ未満とし、更に好適には１ｃｍ未満の低クリアランスを有する表面が少なくとも部分的に重なり合う。導電表面を、金属表面として好適に形成することができるが、これらを互いに離間する必要がある。これら表面を電力用変圧器の周辺に配置するのが好適であるが、任意のケースにおいて、金属表面上の任意の渦電流損失を磁界中で最少にする必要がある。この点において、図１４は、長さ方向に沿って互いに絶縁された長手領域１０６を有する容量性結合素子に対するインタデジタル構造を示す。これらを、可撓性プラスチック構造に対する金属層として適用することができる。封止表面を取得するために、基板の前方と後方の両側において、図１４に示す構造が適用され、この場合、その構造を、指の上方又は下方の幅だけ互いに離間して配置し、その結果、その構造は、全体に亘って封止表面の機能を実行することができるオフセット配置を形成するが、渦電流損失が最少となる。
【００８０】
本発明を、衣類の磁界中の電気的な伝送システム及びこれに対応する伝送機と要約することができる。衣類の電気回路は、他の衣類の電気装置及び／又は電気回路と無線、好適には誘導的によって結合し、この場合、電気的なエネルギーは、結合によって伝送される。好適には、両方向のエネルギー伝送が可能であり、この場合、互いに結合した分配システムとなる。誘導的なエネルギー伝送の効率は、好適には共鳴を用いて周波数を著製することによって増大する。さらに、情報伝達手段が提案される。
【図面の簡単な説明】
【００８１】
【図１】２個の誘導素子を有する伝送システムの図形表示である。
【図２】２ａは、伝送システムの等価回路図であり、２ｂは、変圧器の等価回路図である。
【図３】電気回路及び誘導コネクタを有する衣類を示す図である。
【図４】電気装置の斜視図である。
【図５】図４に示す装置のブロック図である。
【図６】伝送システムを有する二つの衣類を示す図である。
【図７】伝送システムの誘導素子の斜視図である。
【図８】軸線界磁巻線を示す図である。
【図９】軸線半径巻線を示す図である。
【図１０】半径界磁巻線の伝送システムを示す図である。
【図１１】図１０の半径界磁巻線の配置を示す図である。
【図１２】伝送システムの素子の図形表示である。
【図１３】情報伝送用の直交巻線の配置の例を示す図である。
【図１４】容量性結合表面のフィンガ構造を示す図である。
【図１】
2008029200.tif 000003
【図２】
2008029200.tif 000004
【図３】
2008029200.tif 000005
【図４】
2008029200.tif 000006
【図５】
2008029200.tif 000007
【図６】
2008029200.tif 000008
【図７】
2008029200.tif 000009
【図８】
2008029200.tif 000010
【図９】
2008029200.tif 000011
【図１０】
2008029200.tif 000012
【図１１】
2008029200.tif 000013
【図１２】
2008029200.tif 000014
【図１３】
2008029200.tif 000015
【図１４】
2008029200.tif 000016